【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
走行車体（２）と、
該走行車体（２）に昇降可能に連結される作業部（４）と、
走行車体（２）に配置され、走行車体（２）に支持された複数の予備苗台（３８ａ，３８ｂ，３８ｃ）と、
第２の予備苗台（３８ｂ）の前端部側面又は後端部側面と第１の予備苗台（３８ａ）の中央部側面に連結した第１移動リンク（３９ａ）と、
第２の予備苗台（３８ｂ）の後端部側面又は前端部側面と第３の予備苗載台（３８ｃ）の中央部側面に連結した第３移動リンク（３９ｃ）と、
第２の予備苗台（３８ｂ）の中央部側面と第１の予備苗台（３８ａ）の後端部側面と第３の予備苗台（３８ｃ）の前端部側面をそれぞれ連結するか又は第２の予備苗台（３８ｂ）の中央部側面と第１の予備苗台（３８ａ）の前端部側面と第３の予備苗台（３８ｃ）の後端部側面をそれぞれ連結した第２移動リンク（３９ｂ）とを含み、
複数の予備苗台（３８ａ，３８ｂ，３８ｃ）が上下複数段に配置される位置と複数の予備苗台（３８ａ，３８ｂ，３８ｃ）がほぼ同一平面上に配置される位置とに複数の移動リンク（３９ａ，３９ｂ，３９ｃ）が回転自在であり、
電動モータにより複数の移動リンク（３９ａ，３９ｂ，３９ｃ）を回転作動させる構成としたことを特徴とする苗移植機。
【請求項２】
複数の移動リンク（３９ａ，３９ｂ，３９ｃ）は複数の予備苗台（３８ａ，３８ｂ，３８ｃ）の一方の側面側にのみ設け、複数の予備苗台（３８ａ，３８ｂ，３８ｃ）は、鉛直方向の回転軸心を中心に回転して機体の内側でも外側でも展開して拡げられる構成としたことを特徴とする請求項１記載の苗移植機。
【請求項３】
複数の移動リンク（３９ａ，３９ｂ，３９ｃ）を回動させるための回動ロックレバー（７３ｂ）を設け、回動ロックレバー（７３ｂ）の回動を所定の位置で規制する構成とし、この規制状態で回動ロックレバー（７３ｂ）が前側に向く構成としたことを特徴とする請求項１又は請求項２に記載の苗移植機。
【請求項４】
第２の予備苗台（３８ｂ）を複数の移動リンク（３９ａ，３９ｂ，３９ｃ）を作動させても移動しない固定式とし、第１及び第３の予備苗台（３８ａ，３８ｃ）を複数の移動リンク（３９ａ，３９ｂ，３９ｃ）を作動させると移動する可動式としたことを特徴とする請求項１から請求項３の何れか１項に記載の苗移植機。
【請求項５】
第１と第３の移動リンク（３９ａ，３９ｃ）の第２の予備苗台（３８ｂ）の前端部又は後端部との連結位置は、第１，第３の予備苗台（３８ａ，３８ｃ）が第２の予備苗台（３８ｂ）とほぼ同一平面上にあるときに第１，第３の予備苗台（３８ａ，３８ｃ）の前端部又は後端部と対向する位置寄りにあり、第１，第３の予備苗台（３８ａ，３８ｃ）が第２の予備苗台（３８ｂ）とほぼ同一平面上にあるときには、第２の予備苗台（３８ｂ）の端部に接続される第１，第３の予備苗台（３８ａ，３８ｃ）は、互いに第２の予備苗台（３８ｂ）の反対側に配置され、第２の予備苗台（３８ｂ）の上下に第１，第３の予備苗台（３８ａ，３８ｃ）を移動させる第２移動リンク（３９ｂ）を設けたことを特徴とする請求項１から請求項４の何れか１項に記載の苗移植機。
【手続補正２】
【補正対象書類名】明細書
【補正対象項目名】０００８
【補正方法】変更
【補正の内容】
【０００８】
本発明の上記課題は、次の解決手段で解決される。
請求項１記載の発明は、走行車体（２）と、該走行車体（２）に昇降可能に連結される作業部（４）と、走行車体（２）に配置され、走行車体（２）に支持された複数の予備苗台（３８ａ，３８ｂ，３８ｃ）と、第２の予備苗台（３８ｂ）の前端部側面又は後端部側面と第１の予備苗台（３８ａ）の中央部側面に連結した第１移動リンク（３９ａ）と、第２の予備苗台（３８ｂ）の後端部側面又は前端部側面と第３の予備苗載台（３８ｃ）の中央部側面に連結した第３移動リンク（３９ｃ）と、第２の予備苗台（３８ｂ）の中央部側面と第１の予備苗台（３８ａ）の後端部側面と第３の予備苗台（３８ｃ）の前端部側面をそれぞれ連結するか又は第２の予備苗台（３８ｂ）の中央部側面と第１の予備苗台（３８ａ）の前端部側面と第３の予備苗台（３８ｃ）の後端部側面をそれぞれ連結した第２移動リンク（３９ｂ）とを含み、複数の予備苗台（３８ａ，３８ｂ，３８ｃ）が上下複数段に配置される位置と複数の予備苗台（３８ａ，３８ｂ，３８ｃ）がほぼ同一平面上に配置される位置とに複数の移動リンク（３９ａ，３９ｂ，３９ｃ）が回転自在であり、電動モータにより複数の移動リンク（３９ａ，３９ｂ，３９ｃ）を回転作動させる構成としたことを特徴とする苗移植機である。
【手続補正３】
【補正対象書類名】明細書
【補正対象項目名】０００９
【補正方法】変更
【補正の内容】
【０００９】
請求項２記載の発明は、複数の移動リンク（３９ａ，３９ｂ，３９ｃ）は複数の予備苗台（３８ａ，３８ｂ，３８ｃ）の一方の側面側にのみ設け、複数の予備苗台（３８ａ，３８ｂ，３８ｃ）は、鉛直方向の回転軸心を中心に回転して機体の内側でも外側でも展開して拡げられる構成としたことを特徴とする請求項１記載の苗移植機である。
【手続補正４】
【補正対象書類名】明細書
【補正対象項目名】００１０
【補正方法】変更
【補正の内容】
【００１０】
請求項３記載の発明は、複数の移動リンク（３９ａ，３９ｂ，３９ｃ）を回動させるための回動ロックレバー（７３ｂ）を設け、回動ロックレバー（７３ｂ）の回動を所定の位置で規制する構成とし、この規制状態で回動ロックレバー（７３ｂ）が前側に向く構成としたことを特徴とする請求項１又は請求項２に記載の苗移植機である。
【手続補正５】
【補正対象書類名】明細書
【補正対象項目名】００１１
【補正方法】変更
【補正の内容】
【００１１】
請求項４記載の発明は、第２の予備苗台（３８ｂ）を複数の移動リンク（３９ａ，３９ｂ，３９ｃ）を作動させても移動しない固定式とし、第１及び第３の予備苗台（３８ａ，３８ｃ）を複数の移動リンク（３９ａ，３９ｂ，３９ｃ）を作動させると移動する可動式としたことを特徴とする請求項１から請求項３の何れか１項に記載の苗移植機である。
【手続補正６】
【補正対象書類名】明細書
【補正対象項目名】００１２
【補正方法】変更
【補正の内容】
【００１２】
請求項５記載の発明は、第１と第３の移動リンク（３９ａ，３９ｃ）の第２の予備苗台（３８ｂ）の前端部又は後端部との連結位置は、第１，第３の予備苗台（３８ａ，３８ｃ）が第２の予備苗台（３８ｂ）とほぼ同一平面上にあるときに第１，第３の予備苗台（３８ａ，３８ｃ）の前端部又は後端部と対向する位置寄りにあり、第１，第３の予備苗台（３８ａ，３８ｃ）が第２の予備苗台（３８ｂ）とほぼ同一平面上にあるときには、第２の予備苗台（３８ｂ）の端部に接続される第１，第３の予備苗台（３８ａ，３８ｃ）は、互いに第２の予備苗台（３８ｂ）の反対側に配置され、第２の予備苗台（３８ｂ）の上下に第１，第３の予備苗台（３８ａ，３８ｃ）を移動させる第２移動リンク（３９ｂ）を設けたことを特徴とする請求項１から請求項４の何れか１項に記載の苗移植機である。
【手続補正７】
【補正対象書類名】明細書
【補正対象項目名】００１３
【補正方法】変更
【補正の内容】
【００１３】
請求項１記載の発明によれば、全体として上下複数段に配置される個々の予備苗載台３８ａ，３８ｂ，３８ｃに分けて苗トレイを載置する状態と予備苗台３８ａ，３８ｂ，３８ｃを接続して広い苗トレイ載置平面が得られる状態に切り替えすることができるので、苗トレイの載置作業性が良い苗載台が得られる。しかも、移動リンク３９ａ，３９ｂ，３９ｃにより、簡潔な機構で予備苗台３８ａ，３８ｂ，３８ｃを接続させることができ、苗補給作業性が向上する。
【手続補正８】
【補正対象書類名】明細書
【補正対象項目名】００１４
【補正方法】変更
【補正の内容】
【００１４】
請求項２記載の発明によれば、請求項１記載の発明の効果に加えて、移動リンク３９ａ，３９ｂ，３９ｃが配置されていない側から、全ての予備苗台３８ａ，３８ｂ，３８ｃに対して苗供給又は苗取出の作業を、移動リンク３９ａ，３９ｂ，３９ｃが邪魔にならずに容易に行える。また、複数の予備苗台３８ａ，３８ｂ，３８ｃを、鉛直方向の回転軸心を中心に回転して機体の内側でも外側でも展開して拡げられる。
【手続補正９】
【補正対象書類名】明細書
【補正対象項目名】００１５
【補正方法】変更
【補正の内容】
【００１５】
請求項３記載の発明によれば、請求項１又は請求項２に記載の発明の効果に加えて、規制状態で回動ロックレバー７３ｂが前側に向くので、回動ロックレバー７３ｂを畦側からも田植機側からも行える。
【手続補正１０】
【補正対象書類名】明細書
【補正対象項目名】００１６
【補正方法】変更
【補正の内容】
【００１６】
請求項４記載の発明によれば、請求項１から請求項４の何れか１項に記載の発明の効果に加えて、第２の予備苗台（３８ｂ）を複数の移動リンク（３９ａ，３９ｂ，３９ｃ）を作動させても移動しない固定式とすることができる。
【手続補正１１】
【補正対象書類名】明細書
【補正対象項目名】００１７
【補正方法】変更
【補正の内容】
【００１７】
請求項５記載の発明によれば、請求項１から請求項４の何れか１項に記載の発明の効果に加えて、移動リンク３９ａ，３９ｂ，３９ｃを極力短く構成でき、構造の簡素化、機体の軽量化が図れると共に、第１及び第３の予備苗台３８ａ，３８ｃの移動経路を短くでき、予備苗台３９ａ，３９ｂ，３９ｃの接続状態への切替が容易に行える。また、第１の予備苗台３８ａ又は第３の予備苗台３８ｃの移動に連動して他方の予備苗台３８ｃ又は３８ａを移動させることができ、予備苗台３８ａ，３８ｂ，３８ｃの上下複数段の状態と同一平面上への接続状態との切替が容易に行える。また、移動リンク３９ａ，３９ｂ，３９ｃの本数を削減でき、構造の簡素化、機体の軽量化が図れる。